【手続補正書】
【提出日】平成19年8月3日(2007.8.3)
【手続補正１】
【補正対象書類名】明細書
【補正対象項目名】発明の名称
【補正方法】変更
【補正の内容】
【発明の名称】描画装置およびその描画方法
【手続補正２】
【補正対象書類名】明細書
【補正対象項目名】特許請求の範囲
【補正方法】変更
【補正の内容】
【特許請求の範囲】
【請求項１】
網掛けパターンを構成する複数の要素であるパターン形状、前記パターン形状の大きさおよびピッチ、前記網掛けパターンを施すべきエリア、および前記エリアの内部における前記パターン形状の配列方向を入力可能な入力手段と、
前記入力手段より入力された情報に基づいて、描画エリアを設定する設定手段と、
前記設定手段によって設定された描画エリアに前記パターン形状からなる網掛けパターンを描画する描画手段と、
を備えることを特徴とする描画装置。
【請求項２】
前記入力手段は、前記パターン形状を構成する複数の要素のうち何れか１つの要素の中心位置を入力可能とし、
前記設定手段は、前記入力手段によって入力された中心位置に基づいて、前記描画エリアの位置を補正する補正手段を含むことを特徴とする請求項１記載の描画装置。
【請求項３】
前記入力手段は、前記パターン形状の大きさ及びピッチが入力されないときに、前記パターン形状の濃度が入力されたときには、該濃度に基づいて、前記パターン形状の大きさ及びピッチを算出することを特徴とする請求項１記載の描画装置。
【請求項４】
前記設定手段は、前記入力手段によって入力されたエリアを囲む外接矩形を算出する算出手段を有し、
前記算出手段は、前記外接矩形に含まれ、且つ前記入力手段によって入力された配列方向と該該列方向に垂直な方向とを辺の方向とする最小の外接矩形を、前記描画エリアとして算出することを特徴とする請求項１記載の描画装置。
【請求項５】
前記補正手段は、
前記描画エリアである矩形の左下点または右上点を基準点として、該矩形の各辺の方向に、前記網掛けパターンを張りめぐらしたとき、前記中心位置に近い網掛けパターンを構成する要素に前記中心位置が位置するように、前記左下点または前記右上点を、前記描画エリアを外方向にずらす移動手段を含むことを特徴とする請求項２記載の描画装置。
【請求項６】
前記描画手段は、
前記描画エリアである矩形の、前記配列方向に垂直な方向の辺の長さ、並びに、前記パターン形状の大きさ及びピッチに基づいて、描画の繰り返し回数を算出し、
前記矩形の左下点または右上点を基準点として、該基準点を、前記算出手段によって算出された描画の繰り返し回数だけ、前記ピッチずつオフセットすることにより、前記パターン形状を構成する複数の要素を前記配列方向に描画するときの基準点を求め、
前記描画装置に接続された印刷装置及び表示装置の印刷属性処理機能を利用して、前記算出された基準点に従って、前記配列方向にダッシュパターンの線分として、前記パターン形状を発生することを特徴とする請求項４記載の描画装置。
【請求項７】
前記入力手段において、前記配列方向は角度で指定されることを特徴とする請求項１記載の描画装置。
【請求項８】
網掛けパターンを構成する複数の要素であるパターン形状、前記パターン形状の大きさおよびピッチ、前記網掛けパターンを施すべきエリア、および前記エリアの内部における前記パターン形状の配列方向を入力手段が入力する入力工程と、
前記入力工程において入力された情報に基づいて、描画エリアを設定手段が設定する設定工程と、
前記設定工程において設定された描画エリアに前記パターン形状からなる網掛けパターンを描画手段が描画する描画工程と、
を有することを特徴とする描画装置の描画方法。
【請求項９】
前記入力工程において、更に、前記パターン形状を構成する複数の要素のうち何れか１つの要素の中心位置が入力され、
前記設定工程において、前記設定手段は、前記入力工程において入力された中心位置に基づいて、前記描画エリアの位置を補正することを特徴とする請求項８記載の描画装置の描画方法。
【請求項１０】
前記入力工程において前記パターン形状の大きさ及びピッチが入力されないときに、前記パターン形状の濃度が入力されたときには、前記設定手段は、該濃度に基づいて、前記パターン形状の大きさ及びピッチを算出することを特徴とする請求項８記載の描画装置の描画方法。
【請求項１１】
前記設定工程において、
前記入力工程において入力されたエリアを囲む外接矩形を算出し、
算出した前記外接矩形に含まれ、且つ前記入力工程において入力された配列方向と該配列方向に垂直な方向とを辺の方向とする最小の外接矩形を、前記描画エリアとして算出することを特徴とする請求項８記載の描画装置の描画方法。
【請求項１２】
前記設定工程において、
前記設定手段は、前記描画エリアである矩形の左下点または右上点を基準点として、該矩形の各辺の方向に、前記網掛けパターンを張りめぐらしたとき、前記中心位置に近い網掛けパターンを構成する要素に前記中心位置が位置するように、前記左下点または前記右上点を、前記描画エリアを外方向にずらすことを特徴とする請求項９記載の描画装置の描画方法。
【請求項１３】
前記設定工程において、
前記設定手段は、前記描画エリアである矩形の、前記配列方向に垂直な方向の辺の長さ、並びに、前記パターン形状の大きさ及びピッチに基づいて、描画の繰り返し回数を算出し、
前記矩形の左下点または右上点を基準点として、該基準点を、算出した前記描画の繰り返し回数だけ、前記ピッチずつオフセットすることにより、前記パターン形状を構成する複数の要素を前記配列方向に描画するときの基準点を求め、
前記基準点に従って、前記配列方向にダッシュパターンの線分として、前記パターン形状を設定することを特徴とする請求項１１記載の描画装置の描画方法。
【請求項１４】
請求項８乃至請求項１３の何れか１項に記載の描画装置の描画方法をコンピュータに実行させるためのコンピュータプログラムが格納されたことを特徴とするコンピュータ読み取り可能な記憶媒体。
【手続補正３】
【補正対象書類名】明細書
【補正対象項目名】０００７
【補正方法】変更
【補正の内容】
【０００７】
即ち、網掛けパターンを構成する複数の要素であるパターン形状、前記パターン形状の大きさおよびピッチ、前記網掛けパターンを施すべきエリア、および前記エリアの内部における前記パターン形状の配列方向を入力可能な入力手段と、前記入力手段より入力された情報に基づいて、描画エリアを設定する設定手段と、前記設定手段によって設定された描画エリアに前記パターン形状からなる網掛けパターンを描画する描画手段と、を備えることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１４
【補正方法】変更
【補正の内容】
【００１４】
即ち、描画装置の描画方法であって、網掛けパターンを構成する複数の要素であるパターン形状、前記パターン形状の大きさおよびピッチ、前記網掛けパターンを施すべきエリア、および前記エリアの内部における前記パターン形状の配列方向を入力手段が入力する入力工程と、前記入力工程において入力された情報に基づいて、描画エリアを設定手段が設定する設定工程と、前記設定工程において設定された描画エリアに前記パターン形状からなる網掛けパターンを描画手段が描画する描画工程と、を有することを特徴とする。
【手続補正１０】
【補正対象書類名】明細書
【補正対象項目名】００１５
【補正方法】削除
【補正の内容】